(57)【要約】【課題】高地に設置された場合の発電装置の出力の低下を抑制する。【解決手段】パッケージ２１の外側２１ｏから内側２１ｉへ空気を供給する軸流ファン２５（ファン）を備え、パッケージ２１の内側２１ｉを軸流ファン２５で加圧する。この加圧により、パッケージ２１の内側２１ｉが加圧されない場合に比べ、パッケージ２１に囲まれる原動機１２の出力が向上する。この原動機１２の出力の向上により、原動機１２で駆動される発電機１１の出力が向上する。したがって、高地に設置された場合の高地設置用発電装置１の出力の低下が抑制される。【選択図】図１
2011202523.tif 000002
【特許請求の範囲】
【請求項１】
発電機と、
前記発電機を駆動する原動機と、
前記発電機と前記原動機とを囲む筐体と、
前記原動機から前記筐体の外側へ連通される排気管と、
前記筐体に設けられる吸気口および換気口と、
前記吸気口に取り付けられるとともに前記筐体の外側から内側へ空気を供給するファンと、を備え、
前記筐体の内側を前記ファンで加圧する、高地設置用発電装置。
【請求項２】
建屋内と建屋外とを隔てる隔壁を備えるとともに当該建屋内に発電装置が設置される高地設置用発電設備であって、
前記発電装置は、
発電機と、
前記発電機を駆動する原動機と、
前記発電機と前記原動機とを囲む筐体と、
前記筐体に設けられる第１吸気口および第１換気口と、を備え、
前記原動機から前記建屋外へ連通される排気管と、
前記隔壁に設けられる第２吸気口および第２換気口と、
前記第１換気口と前記第２換気口とを接続する換気管と、
前記第２吸気口に取り付けられるとともに前記建屋外から前記建屋内へ空気を供給するファンと、を備え、
前記建屋内を前記ファンで加圧する、高地設置用発電設備。
【発明の詳細な説明】
【技術分野】
【０００１】
本発明は、気圧が低く空気が希薄な高地に設置される発電装置および発電設備に関する。
【背景技術】
【０００２】
従来より、原動機と発電機とを備える発電装置が知られている（例えば特許文献１）。この発電装置の発電機は原動機により駆動される。原動機は、具体的にはディーゼルエンジンやガスタービンなどである。
【先行技術文献】
【特許文献】
【０００３】
【特許文献１】特開２００７−２６２７９８号公報
【発明の概要】
【発明が解決しようとする課題】
【０００４】
上記の発電装置は高地に設置される場合がある。高地では低地に比べて気圧が下がるため空気が希薄になる。これにより、ディーゼルエンジンやガスタービンなどの原動機の空気の吸入量が低地に比べて減少するため、原動機の出力も低下する。その結果、発電機の出力が低下する。また、出力の低下を補うため、原動機を空気の吸入量が多い大きいものに変更すれば、コスト増加や設置スペースの問題が生じる。
【０００５】
本発明の目的は、高地に設置された場合でも、原動機を取り替えることなく（大きくすることなく）出力の低下を抑制した、高地設置用発電装置および高地設置用発電設備を提供することである。
【課題を解決するための手段】
【０００６】
第１の発明に係る高地設置用発電装置は、発電機と、前記発電機を駆動する原動機と、前記発電機と前記原動機とを囲む筐体と、前記原動機から前記筐体の外側へ連通される排気管と、前記筐体に設けられる吸気口および換気口と、前記吸気口に取り付けられるとともに前記筐体の外側から内側へ空気を供給するファンと、を備え、前記筐体の内側を前記ファンで加圧する。
【０００７】
この高地設置用発電装置は、筐体の外側から内側へ空気を供給するファンを備え、筐体の内側をファンで加圧する。この加圧により、筐体の内側が加圧されない場合に比べ、筐体に囲まれる原動機の出力が向上する。この原動機の出力の向上により、原動機で駆動される発電機の出力が向上する。したがって、高地に設置された場合でも発電装置の出力の低下が抑制される。また、高地に設置された場合の出力の低下を補うために原動機の大きさを変更する場合に比べて、コストを削減できる。
【０００８】
また、この高地設置用発電装置は、原動機から筐体の外側へ連通される排気管を備える。この排気管により、原動機の排気ガスは筐体の外側へ排出される。したがって、この高地設置用発電装置は、筐体に囲まれた原動機が排気ガスを吸入することを抑制する。
【０００９】
また、この高地設置用発電装置は、筐体に設けられた換気口を備える。この換気口により、筐体の内側の空気と、筐体の外側の空気とが交換される。したがって、原動機および発電機により高温になった空気、および筐体の内側に混入した排気ガスを筐体の外側に排出できる。
【００１０】
第２の発明に係る高地設置用発電設備は、建屋内と建屋外とを隔てる隔壁を備えるとともに当該建屋内に発電装置が設置される高地設置用発電設備であって、前記発電装置は、発電機と、前記発電機を駆動する原動機と、前記発電機と前記原動機とを囲む筐体と、前記筐体に設けられる第１吸気口および第１換気口と、を備え、前記原動機から前記建屋外へ連通される排気管と、前記隔壁に設けられる第２吸気口および第２換気口と、前記第１換気口と前記第２換気口とを接続する換気管と、前記第２吸気口に取り付けられるとともに前記建屋外から前記建屋内へ空気を供給するファンと、を備え、前記建屋内を前記ファンで加圧する。
【００１１】
この高地設置用発電設備は、建屋外から建屋内へ空気を供給するファンを備え、建屋内をファンで加圧する。この加圧により、建屋内が加圧されない場合に比べ、建屋内に設置される発電装置の原動機の出力が向上する。この原動機の出力の向上により、原動機で駆動される発電機の出力が向上する。したがって、発電設備を高地に設置した場合の発電装置の出力の低下が抑制される。また、高地に設置された場合の出力の低下を補うために原動機の大きさを変更する場合に比べて、コストを削減できる。
【００１２】
また、この高地設置用発電設備は、原動機から建屋外へ連通される排気管を備える。この排気管により、原動機の排気ガスは建屋外へ排出される。したがって、この高地設置用発電設備は、建屋内の原動機が排気ガスを吸入することを抑制する。
【００１３】
また、この高地設置用発電設備は、筐体に設けられた第１換気口と、隔壁に設けられた第２換気口と、第１換気口と第２換気口とを接続する換気管と、を備える。この構成により、筐体の内側の空気と、建屋外の空気とが交換される。したがって、原動機および発電機により高温になった空気、および筐体の内側に混入した排気ガスを建屋の外側に排出できる。
【発明の効果】
【００１４】
以上の説明に述べたように、本発明は特に筐体の外側（または建屋外）から内側（または建屋内）へ空気を供給するファンで、筐体の内側（または建屋内）を加圧する構成により、筐体の内側（または建屋内）に配置された原動機の出力が向上し、発電機の出力が向上する。したがって、発電装置（または発電設備）が高地に設置された場合の出力の低下が抑制される。
【図面の簡単な説明】
【００１５】
【図１】高地設置用発電装置を示す図である。
【図２】高地設置用発電設備を示す図である。
【発明を実施するための形態】
【００１６】
以下、本発明に係る高地設置用発電装置および高地設置用発電設備の実施形態について図面を参照して説明する。
【００１７】
（第１実施形態）
図１は高地設置用発電装置を示す図である。以下、図１を参照して高地設置用発電装置１の構成について詳細に説明する。
【００１８】
高地設置用発電装置１は、パッケージ２１（筐体）の内側２１ｉに発電機１１と原動機１２とを備える発電装置である。この高地設置用発電装置１では、パッケージ２１の内側２１ｉが軸流ファン２５（ファン）で加圧される。
【００１９】
発電機１１は、原動機１２により駆動される。さらに詳しくは、原動機１２の駆動軸１２ａが発電機１１に接続され、原動機１２が作動することで発電機１１が駆動される。
【００２０】
原動機１２は、発電機１１を駆動する。この原動機１２は燃焼空気を吸入し、排気ガスを排気管２２へ排出する。この原動機１２をそのまま高地で使用すれば、燃焼空気の圧力の低下により（空気が薄くなることにより）出力が低下する。原動機１２は、具体的にはディーゼルエンジンやガスタービンエンジンである。
【００２１】
パッケージ２１は、発電機１１と原動機１２とを囲む、箱状の容器である。このパッケージ２１には、排気管２２が通り、換気口２３および吸気口２４が設けられる。
【００２２】
排気管２２は、原動機１２で発生した排気ガスをパッケージ２１の外側２１ｏに排出する管である。排気ガスは、原動機１２からパッケージ２１の外側２１ｏへパッケージ２１の内側２１ｉを通ることなく排出される。
【００２３】
換気口２３は、パッケージ２１の内側２１ｉと外側２１ｏとの空気を換気（交換）するために、パッケージ２１に設けられる。換気口２３は、加圧されたパッケージ２１の内側２１ｉから低圧の外側２１ｏへ、原動機１２に燃焼空気として吸入されなかった空気を排出する。例えば換気口２３の開口面積を可変にすることで空気の排出量を調整可能としても良い。
【００２４】
吸気口２４は、パッケージ２１の外側２１ｏから内側２１ｉへ空気を吸入するために、パッケージ２１に設けられる。この吸気口２４には軸流ファン２５が取り付けられる。
【００２５】
軸流ファン２５（ファン）は、吸気口２４に取り付けられる吸気ファンである。この軸流ファン２５により、パッケージ２１の外側から内側へ空気が供給され、パッケージ２１の内側２１ｉが加圧される。
【００２６】
（本実施形態の高地設置用発電装置の特徴）
本実施形態の高地設置用発電装置１には以下の特徴がある。
【００２７】
高地設置用発電装置１は、パッケージ２１の外側２１ｏから内側２１ｉへ空気を供給する軸流ファン２５を備え、パッケージ２１の内側２１ｉを軸流ファン２５で加圧する。この加圧により、原動機１２で吸入される燃焼空気の吸入量が増加する。よって、パッケージ２１の内側２１ｉが加圧されない場合に比べ、パッケージ２１に囲まれる原動機１２の出力が向上する。この原動機１２の出力の向上により、原動機１２で駆動される発電機１１の出力が向上する。したがって、高地に設置された場合でも高地設置用発電装置１の出力の低下が抑制される。また、高地に設置された場合の出力の低下を補うために原動機１２を変更する（大きなものに変更する）場合に比べて、コストを削減できる。
さらに、パッケージ２１の内側２１ｉの圧力と、低地の大気圧（約１気圧）とが等しくなるように上記の加圧を行えば、高地設置用発電装置１を低地に設置した場合と等しい出力が高地で得られる。
【００２８】
また、高地設置用発電装置１は、パッケージ２１の外側２１ｏと原動機１２とを連通する排気管２２を備える。この排気管２２により、原動機１２の排気ガスは、パッケージ２１の内側２１ｉを経由することなく、パッケージ２１の外側２１ｏへ直に排出される。したがって、高地設置用発電装置１は、パッケージ２１に囲まれた原動機１２が排気ガスを吸入することを抑制する。
【００２９】
また、高地設置用発電装置１は、パッケージ２１に設けられた換気口２３を備える。この換気口２３により、パッケージ２１の内側２１ｉの空気と、パッケージ２１の外側２１ｏの空気とが交換される。したがって、原動機１２および発電機１１により高温になった空気、およびパッケージ２１の内側２１ｉの内側に混入した排気ガス（吸気口２４から吸入した排気ガスや、排気管２２を通らずにパッケージ２１の内側２１ｉに漏れた排気ガス等）をパッケージ２１の外側２１ｏに排出できる。
【００３０】
（第２実施形態）
図２は高地設置用発電設備１０１を示す図である。第１実施形態では発電装置（高地設置用発電装置１）の構成を示したが、この高地設置用発電設備１０１は発電装置１１０を建屋内１３１ｉに備える。以下、第１実施形態との相違点を中心に説明し、第１実施形態と共通する構成については同一符号を付してその説明を省略する。
【００３１】
高地設置用発電設備１０１は、建屋内１３１ｉに発電装置１１０が設置される発電設備である。また、高地設置用発電設備１０１は、建屋内１３１ｉと建屋外１３１ｏとを隔てる隔壁１３１を備える。
【００３２】
発電装置１１０のパッケージ２１（筐体）には、換気口２３（第１換気口）と吸気口２４（第１吸気口）とが設けられる。換気口２３は、換気管１３３ｄが接続される。また、吸気口２４は、軸流ファン２５が取り付けられない点で第１実施形態と異なる（図１参照）。
【００３３】
隔壁１３１は、高地設置用発電設備１０１の建屋内１３１ｉと建屋外１３１ｏとを隔てる。具体的には、隔壁１３１は床、壁、及び天井により構成される。また、隔壁１３１には排気管１２２が通り、換気口１３３および吸気口１３４が設けられる。
【００３４】
排気管１２２は、原動機１２の排気ガスを建屋外１３１ｏへ排出するために設けられる。排気ガスは、原動機１２から排気管１２２を通じ、建屋内１３１ｉを通ることなく、建屋外１３１ｏへ排出される。
【００３５】
換気口１３３（第２換気口）は、隔壁１３１に設けられる。この換気口１３３には換気管１３３ｄが接続される。
【００３６】
換気管１３３ｄは、パッケージ２１の内側２１ｉと建屋外１３１ｏとで空気を交換するために設ける。具体的には、換気管１３３ｄは、パッケージ２１に設けられた換気口２３と、隔壁１３１に設けられた換気口１３３とを接続する。換気管１３３ｄは、加圧された発電装置１１０内から低圧の建屋外１３１ｏへ、原動機１２に燃焼空気として吸入されなかった空気を排出する。
【００３７】
吸気口１３４（第２吸気口）は、建屋外１３１ｏから建屋内１３１ｉへ空気を吸入するために、隔壁１３１に設けられる。この吸気口１３４には軸流ファン２５が取り付けられる。
【００３８】
軸流ファン２５は、隔壁１３１の吸気口１３４に取り付けられる吸気ファンである。この軸流ファン２５は、建屋外１３１ｏから建屋内１３１ｉへ空気を供給し、建屋内１３１ｉを加圧する。
【００３９】
（本実施形態の高地設置用発電設備の特徴）
本実施形態の高地設置用発電設備１０１には以下の特徴がある。
【００４０】
高地設置用発電設備１０１は、建屋外１３１ｏから建屋内１３１ｉへ空気を供給する軸流ファン２５を備え、建屋内１３１ｉを軸流ファン２５で加圧する。この加圧により、発電装置１１０で吸入される燃焼空気の量が増す。よって、建屋内１３１ｉが加圧されない場合に比べ、建屋内１３１ｉに設置される発電装置１１０の原動機１２の出力が向上する。この原動機１２の出力の向上により、原動機１２で駆動される発電機１１の出力が向上する。したがって、高地設置用発電設備１０１が高地に設置された場合の発電装置１１０の出力の低下を抑制できる。また、高地に設置された場合の出力の低下を補うために原動機１２を変更する（大きなものに変更する）場合に比べて、コストを削減できる。
さらに、建屋内１３１ｉの圧力と低地の大気圧（約１気圧）とが等しくなるように上記の加圧を行えば、高地設置用発電設備１０１を低地に設置した場合と等しい出力が高地で得られる。
【００４１】
また、高地設置用発電設備１０１は、原動機１２から、建屋外１３１ｏへ連通される排気管１２２を備える。この排気管１２２により、原動機１２の排気ガスは、建屋内１３１ｉを経由することなく、建屋外１３１ｏへ直に排出される。したがって、高地設置用発電設備１０１は、建屋内１３１ｉの原動機１２が排気ガスを吸入することを抑制する。
【００４２】
また、高地設置用発電設備１０１は、パッケージ２１に設けられた換気口２３と、隔壁１３１に設けられた換気口１３３と、換気口２３と換気口１３３とを接続する換気管１３３ｄと、を備える。この構成により、パッケージ２１の内側２１ｉの空気と、建屋外１３１ｏの空気とが交換される。したがって、原動機１２および発電機１１により高温になった空気、およびパッケージ２１の内側２１ｉに混入した排気ガスをパッケージ２１の外側２１ｏに排出できる。
【００４３】
以上、本発明の実施形態について図面に基づいて説明したが、具体的な構成はこれらの実施の形態に限られるものではなく、発明の要旨を逸脱しない範囲で変更可能である。
【符号の説明】
【００４４】
１    高地設置用発電装置
１１  発電機
１２  原動機
２１  パッケージ（筐体）
２２、１２２  排気管
２３  換気口（第１換気口）
２４  吸気口（第１吸気口）
２５  軸流ファン（ファン）
１０１  高地設置用発電設備
１３１  隔壁
１３３  換気口（第２換気口）
１３３ｄ  換気管
１３４  吸気口（第２吸気口）
【図１】
2011202523.tif 000003
【図２】
2011202523.tif 000004